(57)【要約】【課題】画素の駆動信号を全画面に行き渡らせ、全画素を駆動することできる固体撮像装置を提供することを課題とする。【解決手段】固体撮像装置は、光電変換素子及び少なくとも１個のトランジスタを有する複数の画素（１００）が配置された画素領域（５００）と、各々が、前記画素領域に配置された複数のトランジスタを駆動する複数の駆動線（２０〜２２）とを有し、前記駆動線は、前記画素領域内に配置されたバッファ（３０）を介して、前記トランジスタへ駆動信号を供給し、前記バッファの数は前記画素の数よりも少ないことを特徴とする。【選択図】図２
2014120858.tif 000002
【特許請求の範囲】
【請求項１】
光電変換素子及び少なくとも１個のトランジスタを有する複数の画素が配置された画素領域と、
各々が、前記画素領域に配置された複数のトランジスタを駆動する複数の駆動線とを有し、
前記駆動線は、前記画素領域内に配置されたバッファを介して、前記トランジスタへ駆動信号を供給し、前記バッファの数は前記画素の数よりも少ないことを特徴とする固体撮像装置。
【請求項２】
前記バッファは、前記複数の駆動線の各々に対して１個以上設けられることを特徴とする請求項１記載の固体撮像装置。
【請求項３】
前記複数の画素の各々は、複数の前記駆動線に接続される複数のトランジスタを有し、
前記複数の駆動線は、バッファ配置領域内の複数のバッファを介して、前記画素内の複数のトランジスタへ駆動信号を供給し、
前記バッファ配置領域内のバッファの数は、前記画素内の前記駆動線に接続される複数のトランジスタの数と同じであることを特徴とする請求項１又は２記載の固体撮像装置。
【請求項４】
前記複数の画素の各々は、複数の前記駆動線に接続される複数のトランジスタを有し、
前記複数の駆動線は、複数のバッファを介して、前記画素内の複数のトランジスタへ駆動信号を供給し、
前記複数のバッファのうちの一のバッファの領域と他のバッファの領域との間には、前記複数の画素のうちの一部の画素が配置されていることを特徴とする請求項１又は２記載の固体撮像装置。
【請求項５】
前記画素領域には、前記画素及びバッファ配置領域が行列状に配置され、
前記バッファは、前記バッファ配置領域内に設けられることを特徴とする請求項１〜４のいずれか１項に記載の固体撮像装置。
【請求項６】
隣接する行に配置された前記バッファ配置領域は、異なる列に配置されていることを特徴とする請求項５記載の固体撮像装置。
【請求項７】
前記行列の一の要素に設けられる前記バッファの領域は、前段の列の複数の行の画素の駆動信号を入力し、後段の列の前記複数の行の画素の駆動信号を出力する複数のバッファを有することを特徴とする請求項５又は６記載の固体撮像装置。
【請求項８】
前記バッファ配置領域の面積は、前記画素の面積以下であることを特徴とする請求項５〜７のいずれか１項に記載の固体撮像装置。
【請求項９】
前記バッファ配置領域は、前記画素の光電変換素子よりも小面積の光電変換素子を有することを特徴とする請求項８記載の固体撮像装置。
【請求項１０】
前記バッファ配置領域は、前記画素の光電変換素子と同面積の光電変換素子を有することを特徴とする請求項５〜７のいずれか１項に記載の固体撮像装置。
【請求項１１】
前記画素は、前記バッファ配置領域のバッファと同サイズのダミーバッファを有することを特徴とする請求項１０記載の固体撮像装置。
【請求項１２】
前記バッファ配置領域の面積は、前記画素の面積より大きいことを特徴とする請求項５〜７のいずれか１項に記載の固体撮像装置。
【請求項１３】
前記バッファ配置領域に隣接する前記画素の光電変換素子の面積は、前記バッファ配置領域に隣接しない前記画素の光電変換素子の面積より小さいことを特徴とする請求項１２記載の固体撮像装置。
【請求項１４】
さらに、前記画素領域の前記駆動線に駆動信号を出力する出力回路を有し、
前記バッファは、前記出力回路と同じ駆動力を有することを特徴とする請求項１〜１３のいずれか１項に記載の固体撮像装置。
【請求項１５】
さらに、前記画素領域の前記駆動線に駆動信号を出力する出力回路を有し、
前記バッファは、前記出力回路と異なる駆動力を有することを特徴とする請求項１〜１３のいずれか１項に記載の固体撮像装置。
【請求項１６】
光電変換素子及び少なくとも１個のトランジスタを有する複数の画素が配置された画素領域と、
各々が、前記画素領域に配置された複数のトランジスタを駆動する複数の駆動線とを有し、
前記駆動線の電気経路上にバッファが配置され、
前記複数のトランジスタは、前記バッファの入力ノード側に配置されたトランジスタと、前記バッファの出力ノード側に配置されたトランジスタとを有し、
前記バッファの数は前記画素の数よりも少ないことを特徴とする固体撮像装置。
【請求項１７】
前記画素領域には、前記画素及びバッファ配置領域が行列状に配置され、
前記バッファは、前記バッファ配置領域内に設けられることを特徴とする請求項１６記載の固体撮像装置。
【請求項１８】
隣接する行に配置された前記バッファ配置領域は、異なる列に配置されていることを特徴とする請求項１７記載の固体撮像装置。
【請求項１９】
前記行列の一の要素に設けられる前記バッファの領域は、前段の列の複数の行の画素の駆動信号を入力し、後段の列の前記複数の行の画素の駆動信号を出力する複数のバッファを有することを特徴とする請求項１７又は１８記載の固体撮像装置。
【発明の詳細な説明】
【技術分野】
【０００１】
本発明は、固体撮像装置に関する。
【背景技術】
【０００２】
デジタルカメラやビデオカメラにＣＭＯＳセンサが使われるようになって久しいが、近年、医療や天文分野等の大面積の固体撮像装置を必要とする領域においても、ＣＭＯＳセンサへの期待が高まっている。例えば、非特許文献１では、約２００ｍｍ角のセンサチップを天体望遠鏡に取り付けて、天体観測を行う技術が報告されている。
【先行技術文献】
【非特許文献】
【０００３】
【非特許文献１】H. Takahashi, et. al., "A 300mm Wafer-Size CMOS Image Sensor for Low-Light-Level Imaging," International Image Sensor Workshop, June 2011.
【発明の概要】
【発明が解決しようとする課題】
【０００４】
例えば、一眼レフカメラに搭載されるようなフルサイズのＣＭＯＳセンサの場合を考える。垂直走査回路が行ごとに駆動する画素は、およそ３６ｍｍの長さに渡って配置されているため、垂直走査回路はその長さの信号配線の寄生成分と１行分の数千画素のゲート容量を駆動する。
【０００５】
しかし、上述の非特許文献１のような１００ｍｍオーダーを超える大面積センサの場合、垂直走査回路の駆動力だけで１行分の画素を駆動するのは困難である。非特許文献１の例では、２００ｍｍの画素領域を１０分割し、それぞれの分割領域を個別の垂直走査回路で駆動することで、この課題を克服している。この例においては、画素ピッチが１６０μｍ角と非常に広いため、画素ピッチを乱すことなく、垂直走査回路を画素領域内に配置できている。しかしながら、画素ピッチを縮小していった際には画素ピッチ内に回路が入りきらず、垂直走査回路が入る領域は、複数列に渡っての不感帯となってしまうため、適用が困難である。
【０００６】
本発明の目的は、画素の駆動信号を全画面に行き渡らせ、全画素を駆動することできる固体撮像装置を提供することである。
【課題を解決するための手段】
【０００７】
本発明の固体撮像装置は、光電変換素子及び少なくとも１個のトランジスタを有する複数の画素が配置された画素領域と、各々が、前記画素領域に配置された複数のトランジスタを駆動する複数の駆動線とを有し、前記駆動線は、前記画素領域内に配置されたバッファを介して、前記トランジスタへ駆動信号を供給し、前記バッファの数は前記画素の数よりも少ないことを特徴とする。
【発明の効果】
【０００８】
画素領域内にバッファを配置することで、大面積センサにおいても、画素の駆動信号を全画面に行き渡らせ、全画素を駆動することができる。
【図面の簡単な説明】
【０００９】
【図１】画素の構成図である。
【図２】本発明の第１の実施形態による固体撮像装置の構成図である。
【図３】バッファ配置領域の構成図である。
【図４】本発明の第２の実施形態による固体撮像装置の構成図である。
【図５】本発明の第３の実施形態による固体撮像装置の構成図である。
【図６】本発明の第４の実施形態による固体撮像装置の構成図である。
【発明を実施するための形態】
【００１０】
（第１の実施形態）
図１は、本発明の第１の実施形態による画素１００の一例を示した構成図である。画素１００は、光電変換素子１０、転送トランジスタ１１、読出しノード１２、ソースフォロワトランジスタ１３、リセットトランジスタ１４、選択トランジスタ１５を有する。リセット駆動線２０は、リセットトランジスタ１４のゲートにリセット駆動信号を供給する。転送駆動線２１は、転送トランジスタ１１のゲートに転送駆動信号を供給する。選択駆動線２２は、選択トランジスタ１５のゲートに選択駆動信号を供給する。複数の駆動線２０〜２２は、各々が、画素１００の複数のトランジスタ１４，１１，１５を駆動する。図１では、転送トランジスタ１１を有する画素１００の構成例を説明したが、光電変換素子１０とソースフォロワトランジスタ１３を直結する画素１００の構成であってもよい。画素１００は、光電変換素子１０及び少なくとも１個のトランジスタを有する。
【００１１】
光電変換素子１０は、例えばフォトダイオードであり、光電変換により光を電荷に変換して蓄積する。転送トランジスタ１１は、転送駆動線２１がハイレベルになるとオンし、光電変換素子１０に蓄積された電荷を読出しノード１２に転送する。ソースフォロワトランジスタ１３は、読出しノード１２の電圧を増幅し、ソースから出力する。選択トランジスタ１５は、選択駆動線２２がハイレベルになるとオンし、ソースフォロワトランジスタ１３のソースの画素信号を垂直出力線２３に出力する。リセットトランジスタ１４は、リセット駆動線２０がハイレベルになるとオンし、読出しノード１２及び／又は光電変換素子１０の電位を電源電位ＶＤＤにリセットする。
【００１２】
図２は、本発明の第１の実施形態による固体撮像装置１の構成例を示す図である。以降、「画素１００−１１」等、ハイフン＋２桁の数字表記がある場合、ハイフン以降の数字は列及び行のアドレスを示すこととする。すなわち、画素１００−１２とした場合、１列２行目の画素１００（図１）を指す。また、ハイフン＋１桁の数字表記がある場合は、ハイフン以降の数字は行或いは列のアドレスを示すこととする。すなわち、リセット駆動線２０−２とした場合、２行目のリセット駆動線２０（図１）を指す。なお、１０列或いは１０行以上の場合は１６進数で表すものとする。
【００１３】
図２では、６行×６列の画素１００−１１〜１００−７６と、１列のバッファ配置領域３００−４１〜３００−４６の構成としているが、画素数及びバッファ配置領域数はこの限りではない。２００は垂直走査回路、３００はバッファ配置領域、４００は垂直走査回路２００の出力回路部、５００は画素１００が行列状に配置された画素領域である。３０はバッファ配置領域３００−４１〜３００−４６内のバッファ、４０は出力回路部４００の出力回路である。画素１００は、図１の構成を有する。図２では、各画素１００と各駆動線２０〜２２との接続状態を黒丸で示す。垂直走査回路２００は、画素領域５００の駆動線２０〜２２に駆動信号を出力する。バッファ配置領域３００は、画素領域５００の中に配置されている。バッファ３０は、例えば２個のインバータで構成され、垂直走査回路２００と比較して小さい回路規模で画素領域５００内に配置できる。各行の出力回路４０は、駆動線２０〜２２を介して、１列目から３列目の画素１００を駆動する。各行のバッファ３０は、３列目の画素１００及び５列目の画素１００の間の４列目に設けられ、出力回路４０から入力した駆動線２０〜２２の駆動信号を中継し、５列目から７列目の画素１００を駆動する。駆動線２０〜２２は、画素領域５００内に配置されたバッファ配置領域３００内のバッファ３０を介して、画素１００のトランジスタ１１，１４，１５へ駆動信号を供給する。バッファ配置領域３００内のバッファ３０の数は、例えば３個であり、画素１００内の駆動線２０〜２２に接続されるトランジスタ１１，１４，１５の数と同じである。画素領域５００には、画素１００及びバッファ配置領域３００が行列状に配置される。バッファ３０は、バッファ配置領域３００内に設けられ、駆動線２０〜２２の各々に対して１個以上設けられる。バッファ３０の数は、画素１００の数よりも少なく、駆動線２０〜２２の電気経路上に配置される。行列状の画素１００のトランジスタ１１，１４，１５は、バッファ３０の前段ではバッファ３０の入力ノード側に配置されたトランジスタであり、バッファ３０の後段ではバッファ３０の出力ノード側に配置されたトランジスタである。
【００１４】
図２では、バッファ配置領域３００を各行１個ずつ、４画素間隔で配置しているが、バッファ配置領域３００を複数個配置しても良い。その際、バッファ３０の駆動力と画素ピッチを考慮し、例えば画素ピッチ１０μｍとした場合、３０ｍｍ（３０００画素）間隔などに配置すればよい。また、バッファ配置領域３００には、１行当たりに必要な全駆動信号のためのバッファ３０が配置されている。このように配置することで、垂直走査回路２００からの駆動線２０〜２２の駆動信号を大面積センサにおいても、全画素に行き渡らせることが可能となる。バッファ配置領域３００からは画素信号が垂直出力線２３（図１）に出力されないため、画像処理時にそのまま画素１００の欠落した領域として扱っても良い。その場合、例えば、バッファ配置領域３００の左右の画素１００の画素信号を基に補正処理で欠落領域の信号を再現しても良い。
【００１５】
図２において、バッファ配置領域３００は、画素１００とおおよそ同じ大きさとしているが、画素１００よりも小さい面積であってもよい。或いは、バッファ配置領域３００が画素１００より大きい面積であってもよい。この場合、バッファ配置領域３００に隣接する画素１００の光電変換素子１０の面積が、バッファ配置領域３００に隣接しない画素１００の光電変換素子１０の面積より小さくてもよい。
【００１６】
図３は、図２のバッファ配置領域３００とは別の構成例のバッファ配置領域３１０を示したものである。バッファ配置領域３１０は、内部に画素１００と同等の構成を含んでもよい。この際、画素ピッチとの関係によるが、バッファ配置領域３１０内の光電変換素子１０の面積や形状は、バッファ配置領域３１０外の画素１００の光電変換素子１０のものより小さくてもよい。バッファ配置領域３１０は、画素１００よりも小さい光検出感度であっても、多少の信号レベルを出力することで、画像処理によるバッファ配置領域３１０の信号の再現精度を高めることが可能となる。バッファ配置領域３１０は、画素１００の光電変換素子１０よりも小面積の光電変換素子１０を有する。これにより、バッファ配置領域３００の面積を、画素１００の面積以下にすることができる。
【００１７】
また、画素ピッチが例えば１００μｍ以上と大きく、且つ画素１００の開口をあまり必要としない場合、バッファ配置領域３１０内の光電変換素子１０と画素１００の光電変換素子１０の面積を揃えてもよい。すなわち、バッファ配置領域３１０は、画素１００の光電変換素子１０と同面積の光電変換素子１０を有する。この際、バッファ配置領域３１０のバッファ３０と同じサイズであり、且つ端子が接続されていないトランジスタ素子をダミートランジスタとして、画素１００に配置してもよい。すなわち、画素１００は、バッファ配置領域３１０のバッファ３０と同サイズのダミーバッファを有する。また、バッファ配置領域３１０を、図２の固体撮像装置のバッファ配置領域３００と同じ個所に配置してもよい。
【００１８】
図２のように、垂直走査回路２００の出力回路４０とバッファ配置領域３００内のバッファ３０を同等の回路とする。すなわち、バッファ３０は、出力回路４０と同じ駆動力を有する。これにより、各回路の駆動力を均等にし、垂直走査回路２００を始点とした各バッファ配置領域３００のピッチを等間隔としてもよい。または、出力回路４０とバッファ３０の回路を異なるものとすることができる。すなわち、バッファ３０は、出力回路４０と異なる駆動力を有する。これにより、各回路の配置間隔に応じた最適な駆動力を持たせることができる。
【００１９】
以上説明したように、画素領域５００内にバッファ３０を有するバッファ配置領域３００又は３１０を配置する。これにより、大面積センサにおいて垂直走査回路２００より出力される駆動線２０〜２２の駆動信号を全画面に行き渡らせ、全画素１００を駆動することができる。
【００２０】
（第２の実施形態）
図４は、本発明の第２の実施形態による固体撮像装置２の構成例を示す図である。本実施形態では、バッファ配置領域３００は、隣接行で異なる列に配置されている。例えば、１行目ではバッファ配置領域３００−２１は２列目に配置され、２行目ではバッファ配置領域３００−４２は４列目に配置され、３行目ではバッファ配置領域３００−６３は６列目に配置される。隣接する行に配置されたバッファ配置領域３００−２１及び３００−４２等は、異なる列に配置されている。隣接行で異なる列にバッファ配置領域３００を配置されていることで、バッファ配置領域３００の上下左右の４方向に画素１００が存在する。このため、大面積センサにおいても、駆動線２０〜２２の駆動信号を全画素１００に行き渡らせることが可能となるだけでなく、第１の実施形態と比較して画像処理によるバッファ配置領域３００の画素信号の再現精度を高めることが可能となる。
【００２１】
また、図４では、隣接行の各バッファ配置領域３００は２列以上離れて配置している。このように配置することで、バッファ配置領域３００の上下左右斜め方向を含めた隣接８方向に画素１００が存在するため、画像処理によるバッファ配置領域３００の画素信号の再現精度を更に高めることが可能となる。
【００２２】
本実施形態においても、第１の実施形態と同様に、バッファ配置領域３００を各行１個ずつ配置しているが、バッファ配置領域３００を複数個配置してもよい。その際、バッファ３０の駆動力と画素ピッチを考慮し、例えば画素ピッチ１０μｍとした場合、３０ｍｍ（３０００画素）間隔などに配置すればよい。
【００２３】
図４においても、図２と同様に、バッファ配置領域３００は画素１００とおおよそ同じ大きさとしているが、画素１００よりも小さい面積であってもよい。或いは、バッファ配置領域３００が画素１００より大きい面積であってもよい。この場合、バッファ配置領域３００に隣接する画素１００の光電変換素子１０の面積が、バッファ配置領域３００に隣接しない画素１００の光電変換素子１０の面積より小さくてもよい。
【００２４】
また、バッファ配置領域３００の代わりにバッファ配置領域３１０（図３）を配置してもよい。更に、画素ピッチが例えば１００μｍ以上と大きく、且つ通常の画素１００の開口をあまり必要としない場合、バッファ配置領域内３１０の光電変換素子１０と画素１００の光電変換素子１０の面積を揃えてもよい。この際、画素１００に、バッファ配置領域３１０のバッファ３０と同じサイズであり、且つ端子が接続されていないトランジスタ素子をバッファ配置領域３１０と同数配置してもよい。
【００２５】
図４において、垂直走査回路２００の出力回路４０とバッファ配置領域３００内のバッファ３０を同等の回路とすることで、各回路の駆動力を均等にし、垂直走査回路２００を始点とした各バッファ配置領域３００のピッチを等間隔としてもよい。または、出力回路４０とバッファ３０の回路を異なるものとすることで、各回路の配置間隔に応じた最適な駆動力を持たせてもよい。
【００２６】
図４では、３行おきに同じ列にバッファ配置領域３００を配置しているが、２行おき、或いは４行以上おきに同じ列にバッファ配置領域３００を配置してもよい。バッファ配置領域３００同士は極力距離を離し、且つ規則性を持たせる場合（図４では３行おき）は、その規則性の間隔を極力広げることが望ましく、可能であれば規則性を持たせないことが最も望ましい。これは、バッファ配置領域３００の配置間隔の空間周波数を極力下げることで、撮像後の画像を見た際のバッファ配置領域３００による画素信号欠落の影響を極力見えなくすることができるためである。
【００２７】
以上説明したように、画素領域５００内にバッファ３０を有するバッファ配置領域３００又は３１０を配置する際、隣接行のバッファ配置領域３００又は３１０同士を異なる列に配置し、更には２列以上離して配置する。これにより、大面積センサにおいて垂直走査回路２００より出力される駆動線２０〜２２の駆動信号を全画面に行き渡らせ、全画素１００を駆動することができる。更に、バッファ配置領域３００又は３１０のために欠落している画素信号の再現精度を高めることが可能となる。
【００２８】
（第３の実施形態）
図５は、本発明の第３の実施形態による固体撮像装置３の構成例を示す図である。３２０は、３行分のバッファ３０を一つの領域内に有するバッファ配置領域である。バッファ配置領域３２０−４２は２行４列目に配置され、バッファ配置領域３２０−５４は５行４列目に配置される。行列の一の要素に設けられるバッファ配置領域３２０は、前段の列の複数の行の画素１００の駆動信号を入力し、後段の列の複数の行の画素１００の駆動信号を出力する複数のバッファ３０を有する。バッファ配置領域３２０は、画素領域５００内に配置され、それぞれ３行分のバッファ３０を有するので、第１及び第２の実施形態と比較してバッファ配置領域３００の数を削減することが可能となる。本実施形態は、大面積センサにおいても、駆動線２０〜２２の駆動信号を全画素１００に行き渡らせることができ、第１及び第２の実施形態と比較して画像処理によるバッファ配置領域３２０の画素信号の再現時の補正痕の数を減らすことができる。また、行方向に隣接するバッファ配置領域３２０−４２及び３２０−５４を配置する際に、バッファ配置領域３２０を異なる列に配置してもよい。
【００２９】
第１及び第２の実施形態と同様に、バッファ配置領域３２０は、光電変換素子１０を含む画素１００と同等の回路を有する構成でもよい。更に、画素ピッチが例えば１００μｍ以上と大きく、且つ通常の画素１００の開口をあまり必要としない場合、バッファ配置領域３２０内の光電変換素子１０と画素１００の光電変換素子１０の面積を揃えてもよい。この際、画素１００に、バッファ配置領域３２０のバッファ３０と同じサイズであり、且つ端子が接続されていないトランジスタ素子をバッファ配置領域３２０と同数配置してもよい。
【００３０】
垂直走査回路２００の出力回路４０とバッファ配置領域３２０内のバッファ３０を同等の回路とすることで、各回路の駆動力を均等にし、垂直走査回路２００を始点とした各バッファ配置領域３２０のピッチを等間隔としてもよい。または、出力回路４０とバッファ３０の回路を異なるものとすることで、各回路の配置間隔に応じた最適な駆動力を持たせてもよい。
【００３１】
本実施形態においても、撮像後の画像を見た際のバッファ配置領域３２０による画素信号欠落の影響を極力見えなくするため、バッファ配置領域３２０の配置間隔の空間周波数を極力下げるよう配置することが望ましい。
【００３２】
以上説明したように、複数行分のバッファ３０を有するバッファ配置領域３２０を画素領域５００内に配置する。これにより、大面積センサにおいて、垂直走査回路２００より出力される駆動線２０〜２２の駆動信号を全画面に行き渡らせ、全画素１００を駆動することができる。更に、バッファ配置領域３２０のために欠落している画素信号の再現精度向上と補正痕数の削減が可能となる。
【００３３】
（第４の実施形態）
図６は、本発明の第４の実施形態による固体撮像装置４の構成例を示す図である。バッファ配置領域３３０は、それぞれ、１行分の画素１００の駆動線２０〜２２の数よりも少ないバッファ３０を有する。例えば、バッファ配置領域３３０−２１は、画素１００の３本の駆動線２０〜２２のうちの１本の駆動線２０の駆動信号を中継するためのバッファ３０を有する。バッファ配置領域３３０−６１は、画素の３本の駆動線２０〜２２のうちの１本の駆動線２１の駆動信号を中継するためのバッファ３０を有する。バッファ配置領域３３０−ａ１は、画素の３本の駆動線２０〜２２のうちの１本の駆動線２２の駆動信号を中継するためのバッファ３０を有する。駆動線２０〜２２は、複数のバッファ配置領域３３０のバッファ３０を介して、画素１００内のトランジスタ１１，１４，１５へ駆動信号を供給する。同じ行の一のバッファ配置領域３３０−２１と他のバッファ配置領域３３０−６１との間には、全画素のうちの一部の画素１００−３１〜１００−５１が配置されている。本実施形態では、各バッファ配置領域３３０は１個のバッファ３０を有している。一つのバッファ配置領域３３０内の構成素子の数を削減することで、より狭ピッチの画素１００の大面積センサへの適用が可能となる。
【００３４】
また、これまでの実施形態と同様に、バッファ配置領域３３０内に画素１００と同等の回路を設けるようにしてもよい。また、隣接行のバッファ配置領域３３０−２１及び３３０−４２等同士を異なる列或いは２列以上離して配置することで、画像処理におけるバッファ配置領域３３０の画素信号の再現精度を高めることが可能である。さらに、垂直走査回路２００の出力回路４０とバッファ３０の回路を、バッファ配置領域３３０の配置ピッチに応じて最適な回路構成とすることが望ましい。
【００３５】
本実施形態においても、撮像後の画像を見た際のバッファ配置領域３３０による画素信号欠落の影響を極力見えなくするため、バッファ配置領域３３０の配置間隔の空間周波数を極力下げるよう配置することが望ましい。
【００３６】
以上説明したように、一つのバッファ配置領域３３０内に１行分の画素１００の駆動線２０〜２２よりも少ないバッファ３０を設ける。これにより、より狭画素ピッチの大面積センサにおいても、垂直走査回路２００より出力される駆動線２０〜２２の駆動信号を全画面に行き渡らせ、全画素１００を駆動することができる。
【００３７】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００３８】
１  固体撮像装置、  ３０  バッファ、４０  出力回路、１００  画素、２００  垂直走査回路、３００  バッファ配置領域、４００  出力部、５００  画素領域
【図１】
2014120858.tif 000003
【図２】
2014120858.tif 000004
【図３】
2014120858.tif 000005
【図４】
2014120858.tif 000006
【図５】
2014120858.tif 000007
【図６】
2014120858.tif 000008